(57)【要約】【課題】人が嘘を言うこと等を原因として生じる情動の変化を高感度に検出でき、しかも、検出値が瞬間的に変化する場合にも即座に応答することができ、さらに、測定が被験者に刺激を与えてノイズにならないようにし、被験者の負担や拘束をより軽減することのできる、被験者における情動の変化の確認方法と確認装置を提供する。【解決手段】本発明における被験者における情動の変化の確認方法は、被験者における身体の複数の部位で脈波を測定し、それぞれの部位において脈波が発生する時間差を検出し、この脈波が発生する時間差の変化を要因として、被験者における情動の変化を確認する。また、被験者における情動の変化の確認装置は、被験者における身体の複数の部位で脈波を測定する複数の脈波測定手段と、それぞれの部位において脈波が発生する時間差を検出する時間差検出手段を備え、この脈波が発生する時間差の変化を要因として、被験者における情動の変化を確認する。【選択図】図３
2005095615.tif 000002
【特許請求の範囲】
【請求項１】
被験者における身体の複数の部位で脈波を測定し、それぞれの部位において脈波が発生する時間差を検出し、この脈波が発生する時間差の変化を要因として、被験者における情動の変化を確認することを特徴とした、被験者における情動の変化の確認方法。
【請求項２】
被験者における心音を測定すると共に、被験者における身体の所定の部位で脈波を測定し、心音を感知してから脈波が発生するまでの時間差を検出し、この時間差の変化を要因として、被験者における情動の変化を確認することを特徴とした、被験者における情動の変化の確認方法。
【請求項３】
被験者における身体の複数の部位で脈波を測定し、それぞれの部位において、心音を感知してから脈波が発生するまでの時間差を検出する請求項２に記載の被験者における情動の変化の確認方法。
【請求項４】
被験者における心電（心臓の活動電位）を測定すると共に、被験者における身体の所定の部位で脈波を測定し、心電を感知してから脈波が発生するまでの時間差を検出し、この時間差の変化を要因として、被験者における情動の変化を確認することを特徴とした、被験者における情動の変化の確認方法。
【請求項５】
被験者における身体の複数の部位で脈波を測定し、それぞれの部位において、心電を感知してから脈波が発生するまでの時間差を検出する請求項４に記載の被験者における情動の変化の確認方法。
【請求項６】
脈波を測定する複数の部位は、被験者における心臓からの距離が異なっている請求項１、請求項３または５のいずれかに記載の被験者における情動の変化の確認方法。
【請求項７】
脈波は、被験者における動脈の脈波である請求項１乃至６のいずれかに記載の被験者における情動の変化の確認方法。
【請求項８】
情動の変化は、被験者が嘘を言うことで生じる請求項１乃至７のいずれかに記載の被験者における情動の変化の確認方法。
【請求項９】
脈波が発生する時間差の変化は、被験者の血圧が変化することで生じる請求項１に記載の被験者における情動の変化の確認方法。
【請求項１０】
心音を感知してから脈波が発生するまでの時間差の変化は、被験者の血圧が変化することで生じる請求項２または３に記載の被験者における情動の変化の確認方法。
【請求項１１】
心電を感知してから脈波が発生するまでの時間差の変化は、被験者の血圧が変化することで生じる請求項４または５に記載の被験者における情動の変化の確認方法。
【請求項１２】
被験者における身体の所定の部位で脈波の大きさ（振幅）を検出し、この脈波の大きさ（振幅）の変化を要因として、被験者における情動の変化を確認することを特徴とした、被験者における情動の変化の確認方法。
【請求項１３】
脈波は、被験者における動脈の脈波である請求項１２に記載の被験者における情動の変化の確認方法。
【請求項１４】
情動の変化は、被験者が嘘を言うことで生じる請求項１２または１３に記載の被験者における情動の変化の確認方法。
【請求項１５】
脈波の大きさ（振幅）の変化は、被験者の血圧が変化することで生じる請求項１２に記載の被験者における情動の変化の確認方法。
【請求項１６】
被験者における身体の複数の部位で脈波を測定する複数の脈波測定手段と、それぞれの部位において脈波が発生する時間差を検出する時間差検出手段を備え、この脈波が発生する時間差の変化を要因として、被験者における情動の変化を確認することを特徴とした、被験者における情動の変化の確認装置。
【請求項１７】
被験者における心音を測定する心音測定手段と、被験者における身体の所定の部位で脈波を測定する脈波測定手段と、心音を感知してから脈波が発生するまでの時間差を検出する時間差検出手段を備え、この時間差の変化を要因として、被験者における情動の変化を確認することを特徴とした、被験者における情動の変化の確認装置。
【請求項１８】
被験者における身体の複数の部位で脈波を測定する複数の脈波測定手段と、それぞれの部位において、心音が発生してから脈波が発生するまでの時間差を検出する時間差検出手段を備えている請求項１６に記載の被験者における情動の変化の確認装置。
【請求項１９】
被験者における心電（心臓の活動電位）を測定する心電測定手段と、被験者における身体の所定の部位で脈波を測定する脈波測定手段と、心電を感知してから脈波が発生するまでの時間差を検出する時間差検出手段を備え、この時間差の変化を要因として、被験者における情動の変化を確認することを特徴とした、被験者における情動の変化の確認装置。
【請求項２０】
被験者における身体の複数の部位で脈波を測定する複数の脈波測定手段と、それぞれの部位において、心電を感知してから脈波が発生するまでの時間差を検出する時間差検出手段を備えている請求項１９に記載の被験者における情動の変化の確認装置。
【請求項２１】
複数の脈波測定手段は、心臓からの距離が異なるように被験者に配置されている請求項１６、請求項１８または２０のいずれかに記載の被験者における情動の変化の確認装置。
【請求項２２】
複数の脈波測定手段は、その一つがコンピュータシステムに用いられるマウスに設けられている請求項１６または１８、請求項２０または２１のいずれかに記載の被験者における情動の変化の確認装置。
【請求項２３】
複数の脈波測定手段は、その一つが被験者の耳近傍に装着されている請求項１６または１８、請求項２０または２１のいずれかに記載の被験者における情動の変化の確認装置。
【請求項２４】
心電測定手段は、電極の一方がコンピュータシステムに用いられるマウスに設けられて成る請求項１９に記載の被験者における情動の変化の確認装置。
【請求項２５】
心電測定手段は、電極の一方が光電脈波センサーによる脈波測定手段と一体化されている請求項１９に記載の被験者における情動の変化の確認装置。
【請求項２６】
被験者の身体における所定の部位で脈波の大きさ（振幅）を検出する脈波測定手段を備え、被験者の耳近傍に脈波測定手段が装着されていることを特徴とした、被験者における情動の変化の確認装置。
【請求項２７】
脈波測定手段には、脈波の大きさ（振幅）の変化を測定する手段を含む請求項１６乃至２６のいずれかに記載の被験者における情動の変化の確認装置。
【発明の詳細な説明】
【技術分野】
【０００１】
本発明は、人の心身の変化、特に、人の情動の変化を検出することにより生体情報を検出するための方法とその装置に関するものである。具体的には、人の情動の変化を検出する原理として、脈波の伝播速度が血圧の影響を受けること（血圧が変化すると脈波の伝播速度が変化する）、また、情動の変化が血圧の変化として現れること等を利用した、被験者における情動の変化の確認方法と確認装置である。
【背景技術】
【０００２】
従来において、人が嘘を言うこと等を原因として生じる情動の変化を検出する手法として、例えば、人の手の平における発汗を、皮膚の電気伝導度の変化により検出する等の方式が採られていた。また、同時に心拍数や血圧等も測定し、変化する複数の生体情報を組み合わせて、人の情動の変化をより正確に検出する試みも行われてきた。
【特許文献１】特になし
【発明の開示】
【発明が解決しようとする課題】
【０００３】
しかしながら、上記した従来の方式による検出手法においては、人の情動の変化の検出が不充分で、しかも、検出値の瞬間的な変化に即座に応答することができなかった。加えて、血圧を測定する際の加圧は、被験者に痛みや圧迫感を与え、その痛み等を原因として情動が変化してしまうことから、人の情動の変化を正確に検出することができなかった。
【０００４】
具体的には、人が嘘を言うこと等を原因として生じる情動の変化は、手の平における発汗、心拍数の変化、血圧の変化等として現れる。しかし、血圧の測定は、非観血であるカフ加圧法では、測定に１分から２分程度を要するため、血圧が瞬間的に変化する場合、その変化を全く検出できなかった。
【０００５】
また、手の平における発汗を検出する方式では、情動の内容によっては手の平に発汗が生じないことがあり、人の情動の変化を正確に検出できなかった。
【０００６】
さらに、血圧を測定する際の加圧による痛さの精神的影響が本来の情動の変化をぼかしてしまい、人の情動の変化の検出が不確実なものとなっていた。このような事情により、応答速度が速く、しかも、人の情動の変化に正確に応答する生理現象の検出が求められていた。
【０００７】
そこで、本発明は如上のような従来存した諸事情に鑑み創出されたもので、人が嘘を言うこと等を原因として生じる情動の変化を高感度に検出でき、しかも、検出値が瞬間的に変化する場合にも即座に応答することができ、さらに、測定が被験者に刺激を与えてノイズにならないようにし、被験者の負担や拘束をより軽減することのできる、被験者における情動の変化の確認方法と確認装置を提供することを目的とする。
【課題を解決するための手段】
【０００８】
本発明における被験者における情動の変化の確認方法は、被験者における身体の複数の部位で脈波を測定し、それぞれの部位において脈波が発生する時間差を検出し、この脈波が発生する時間差の変化を要因として、被験者における情動の変化を確認することで、上述した課題を解決した。
【０００９】
また、被験者における心音を測定すると共に、被験者における身体の所定の部位で脈波を測定し、心音を感知してから脈波が発生するまでの時間差を検出し、この時間差の変化を要因として、被験者における情動の変化を確認することで、同じく上述した課題を解決した。
【００１０】
さらに、被験者における身体の複数の部位で脈波を測定し、それぞれの部位において、心音を感知してから脈波が発生するまでの時間差を検出することで、同じく上述した課題を解決した。
【００１１】
また、被験者における心電（心臓の活動電位）を測定すると共に、被験者における身体の所定の部位で脈波を測定し、心電を感知してから脈波が発生するまでの時間差を検出し、この時間差の変化を要因として、被験者における情動の変化を確認することで、同じく上述した課題を解決した。
【００１２】
加えて、被験者における身体の複数の部位で脈波を測定し、それぞれの部位において、心電を感知してから脈波が発生するまでの時間差を検出することで、同じく上述した課題を解決した。
【００１３】
また、脈波を測定する複数の部位は、被験者における心臓からの距離が異なっていることで、同じく上述した課題を解決した。
【００１４】
この他、脈波は、被験者における動脈の脈波であることで、同じく上述した課題を解決した。
【００１５】
また、情動の変化は、被験者が嘘を言うことを要因として生じることで、同じく上述した課題を解決した。
【００１６】
さらに、脈波が発生する時間差の変化は、被験者の血圧が変化して生じることで、同じく上述した課題を解決した。
【００１７】
また、心音を感知してから脈波が発生するまでの時間差の変化は、被験者の血圧が変化して生じることで、同じく上述した課題を解決した。
【００１８】
加えて、心電を感知してから脈波が発生するまでの時間差の変化は、被験者の血圧が変化して生じることで、同じく上述した課題を解決した。
【００１９】
また、被験者における身体の所定の部位で脈波の大きさ（振幅）を検出し、この脈波の大きさ（振幅）の変化を要因として、被験者における情動の変化を確認することで、同じく上述した課題を解決した。
【００２０】
この他、脈波は、被験者における動脈の脈波であることで、同じく上述した課題を解決した。
【００２１】
また、情動の変化は、被験者が嘘を言うことで生じることで、同じく上述した課題を解決した。
【００２２】
さらに、脈波の大きさ（振幅）の変化は、被験者の血圧が変化して生じることで、同じく上述した課題を解決した。
【００２３】
一方、被験者における情動の変化の確認装置は、被験者における身体の複数の部位で脈波を測定する複数の脈波測定手段と、それぞれの部位において脈波が発生する時間差を検出する時間差検出手段を備え、この脈波が発生する時間差の変化を要因として、被験者における情動の変化を確認することで、同じく上述した課題を解決した。
【００２４】
また、被験者における心音を測定する心音測定手段と、被験者における身体の所定の部位で脈波を測定する脈波測定手段と、心音を感知してから脈波が発生するまでの時間差を検出する時間差検出手段を備え、この時間差の変化を要因として、被験者における情動の変化を確認することで、同じく上述した課題を解決した。
【００２５】
さらに、被験者における身体の複数の部位で脈波を測定する複数の脈波測定手段と、それぞれの部位において、心音が発生してから脈波が発生するまでの時間差を検出する時間差検出手段を備えていることで、同じく上述した課題を解決した。
【００２６】
また、被験者における心電（心臓の活動電位）を測定する心電測定手段と、被験者における身体の所定の部位で脈波を測定する脈波測定手段と、心電を感知してから脈波が発生するまでの時間差を検出する時間差検出手段を備え、この時間差の変化を要因として、被験者における情動の変化を確認することで、同じく上述した課題を解決した。
【００２７】
加えて、被験者における身体の複数の部位で脈波を測定する複数の脈波測定手段と、それぞれの部位において、心電を感知してから脈波が発生するまでの時間差を検出する時間差検出手段を備えていることで、同じく上述した課題を解決した。
【００２８】
また、複数の脈波測定手段は、心臓からの距離が異なるように被験者に配置されていることで、同じく上述した課題を解決した。
【００２９】
この他、複数の脈波測定手段は、その一つがコンピュータシステムに用いられるマウスに設けられていることで、同じく上述した課題を解決した。
【００３０】
また、複数の脈波測定手段は、その一つが被験者の耳近傍に装着されていることで、同じく上述した課題を解決した。
【００３１】
さらに、心電測定手段は、電極の一方がコンピュータシステムに用いられるマウスに設けられて成ることで、同じく上述した課題を解決した。
【００３２】
また、心電測定手段は、電極の一方が光電脈波センサーによる脈波測定手段と一体化されていることで、同じく上述した課題を解決した。
【００３３】
加えて、被験者の身体における所定の部位で脈波の大きさ（振幅）を検出する脈波測定手段を備え、被験者の耳近傍に脈波測定手段が装着されていることで、同じく上述した課題を解決した。
【００３４】
また、脈波測定手段には、脈波の大きさ（振幅）の変化を測定する手段を含むことで、同じく上述した課題を解決した。
【発明の効果】
【００３５】
以上のように構成された本発明に係る被験者における情動の変化の確認方法と確認装置においては、被験者における身体の複数の部位で脈波を測定し、それぞれの部位において脈波が発生する時間差を検出し、この脈波が発生する時間差の変化に注目することから、被験者における情動の変化を正確に検出できる。また、被験者における心音を測定すると共に、被験者における身体の所定の部位で脈波を測定し、心音を感知してから脈波が発生するまでの時間差を検出し、この時間差の変化に注目することから、被験者における情動の変化を正確に検出できる。さらに、被験者における心電（心臓の活動電位）を測定すると共に、被験者における身体の所定の部位で脈波を測定し、心電を感知してから脈波が発生するまでの時間差を検出し、この時間差の変化に注目することから、被験者における情動の変化を正確に検出できる。
【００３６】
そして、これらの時間差は、血管を伝わる圧力波の伝搬速度である脈波の伝播速度に依存し、脈波の伝播速度は血圧の影響を受けるため（血圧が変化すると脈波伝播速度が変化する）、人の情動の変化が高速度で検出される。また、手の平における発汗等で検出できなかった人の情動の変化も、確実に検出できる。
【００３７】
さらに、複数の脈波測定手段は、心臓から離れた異なる部分の脈波を同時に検出し、時間差検出手段により、例えば、心電信号が発生した時点、脈波が発生した時点それぞれの時間差を求めることで、脈波の伝播速度が求められる。この脈波の伝播速度は、血圧の変化に反映されるので、それぞれの時間差に変化が生じたときは、被験者の血圧が変化したことを意味する。その結果、被験者に加圧することなく、しかも、被験者の拘束を軽減させた状態で瞬間的な血圧の変化が確認されるため、これによって人の情動の変化の高速度な検出を可能にしている。
【００３８】
このように、本発明によれば、例えば、人が嘘を言うこと等を原因として生じる情動の変化を、高感度に、しかも、瞬間的な変化も見逃すことなく確実に検出することができる。また、被験者の血管等を加圧しないので、圧迫や痛み等により情動が変化してしまうことがなく、被験者の情動の変化を正確に検出できる。
【００３９】
この他、被験者における身体の所定の部位で脈波の大きさ（振幅）を検出し、この脈波の大きさ（振幅）の変化に注目することから、人の情動の変化を正確に検出できる。脈波の大きさ（振幅）の変化は、例えば、心臓の行う律動的な収縮運動により送り出される血流量が変化することで生じるものである。例えば、被験者に情動の変化が生じて興奮状態になると、心臓により送り出される血流量が多くなる方向に変化する。その結果、脈波の大きさ（振幅）が大きくなる。本発明は、この点に着目し、脈波の大きさ（振幅）の変化を確認することにより、人の情動の変化を高速度で検出できる。また、手の平における発汗等で検出できなかった人の情動の変化も、確実に検出できる。
【００４０】
本発明を実施する具体的な場面を想定すると、例えば、テレビを見ている人の情動の変化を確認することで、目や耳から得られた情報が、その人にとって心地好いものであるのか、また、不快であるのかを客観的に認識できる。
【００４１】
また、音楽を聴いている者の情動の変化を確認することで、耳から得られた情報が、その人にとって心地好いものであるのか、また、不快であるのかを客観的に認識できる。
【００４２】
さらに、被験者に所定の質問をし、その回答を得ながら情動の変化を検出することで、被験者の嘘を客観的に見抜くこともできる。
【発明を実施するための最良の形態】
【００４３】
以下に、本発明を実施するための最良の形態を、図面を参照して説明する。本発明に係る被験者における情動の変化の確認方法は、図１に示すように、例えば、手の平、耳たぶ等の心臓から離れた部分の脈波を検出し、心臓からの距離が異なることによる脈波発生の時間差を求め、この時間差の変化から情動の変化を検出するものである。
【００４４】
ここで、情動とは、「怒り・恐れ・喜び・悲しみ等のように、比較的急速にひき起された一時的で急激な感情の動き」を意味する。被験者にこのような情動の変化をもたらす要因としては、種々のものが存在する。例えば、目から入る情報や耳から入る情報等により、被験者に情動の変化が生じる。
【００４５】
そして、情動の変化が生じると、被験者の血圧にも変化が生じる。例えば、被験者に情動の変化が生じて興奮状態になると、血圧が高くなる方向に変化する。この血圧の変化は、例えば、末梢血管等における血流量の変化等に起因するものである。そして、血圧が高くなると脈波の伝播速度が増すので、脈波の発生する時間差が減少する。本発明は、この点に着目し、脈波の発生する時間差の変化を確認することにより、被験者の情動の変化を検出するのである。
【００４６】
また、人は、普段言いなれていない嘘を言うときに情動の変化が生じ易いため、被験者に所定の質問をし、その回答を得ながら情動の変化を検出することで、被験者の嘘を客観的に見抜くこともできる。すなわち、本発明は、脈波が発生する時間差の変化に注目し、脈波が発生する時間差の変化を確認することにより、被験者の情動の変化を検出し、被験者の嘘を見抜くのである。
【００４７】
脈波とは、身体組織の或る部分への血液の流入により生じる容積変化を体表面から波形として捉えたものである。本発明は、脈波が発生する時間差を所定時間検出し、この時間差に変化が生じたかどうかに注目するのである。そして、脈波の発生する時間差の変化を確認することにより、被験者の情動の変化を検出するのである。
【００４８】
また、本発明に係る被験者における情動の変化の確認方法は、被験者における心音を測定すると共に、被験者における身体の所定の部位で脈波を測定し、心音を感知してから脈波が発生するまでの時間差を検出し、この時間差の変化を要因として、被験者における情動の変化を検出するものである。具体的には、被験者における身体の心臓から離れた複数の部位で脈波を測定し、それぞれの部位において、心音を感知してから脈波が発生するまでの時間差を検出する。そして、脈波の発生する時間差の変化を確認することにより、被験者の情動の変化を検出するのである。
【００４９】
さらに、被験者における心電（心臓の活動電位）を、例えば、手首において測定すると共に、被験者における身体の複数の部位で脈波を測定し、心電を感知してから脈波が発生するまでの時間差を検出し、この時間差の変化を要因として、被験者における情動の変化を検出するものである。具体的には、被験者における身体の心臓から離れた複数の部位で脈波を測定し、それぞれの部位において、心電を感知してから脈波が発生するまでの時間差を検出する。そして、脈波の発生する時間差の変化を確認することにより、被験者の情動の変化を検出するのである。
【００５０】
また、被験者における身体の所定の部位で脈波の大きさ（振幅）を検出し、この脈波の大きさ（振幅）の変化を要因として、被験者における情動の変化を検出するものである。
【００５１】
脈波の大きさ（振幅）の変化は、例えば、心臓の行う律動的な収縮運動により送り出される血流量が変化することで生じるものである。例えば、被験者に情動の変化が生じて興奮状態になると、心臓により送り出される血流量が多くなる方向に変化する。その結果、脈波の大きさ（振幅）が大きくなる。本発明は、この点に着目し、脈波の大きさ（振幅）の変化を確認することにより、被験者の情動の変化を検出するのである。
【００５２】
尚、上記した脈波が発生する時間差の変化を確認すると同時に、脈波の大きさ（振幅）の変化も確認したときには、被験者の情動の変化をより正確に検出することができる。
【００５３】
一方、被験者における情動の変化の確認装置は、被験者における身体の複数の部位で脈波を測定する複数の脈波測定手段と、それぞれの部位において脈波が発生する時間差を検出する時間差検出手段を備え、この脈波が発生する時間差の変化を要因として、被験者における情動の変化を確認するものである。
【００５４】
また、被験者における心音を測定する心音測定手段と、被験者における身体の所定の部位で脈波を測定する脈波測定手段と、心音を感知してから脈波が発生するまでの時間差を検出する時間差検出手段を備え、この時間差の変化を要因として、被験者における情動の変化を確認するものである。
【００５５】
さらに、被験者における心電（心臓の活動電位）を測定する心電測定手段と、被験者における身体の所定の部位で脈波を測定する脈波測定手段と、心電を感知してから脈波が発生するまでの時間差を検出する時間差検出手段を備え、この時間差の変化を要因として、被験者における情動の変化を確認するものである。
【００５６】
具体的には、心電（心臓の活動電位）を測定する心電測定手段と、心臓から離れた部分の脈波を測定する脈波測定手段と、心電（心臓の活動電位）が発生した時点、脈波が発生した時点それぞれの時間差を求める、例えば、周知の遅延回路手段等による時間差検出手段（図示せず）を備え、それぞれの時間差の変化から、例えば、嘘を言うこと等を原因として生じる被験者の情動の変化を検出するものである。
【００５７】
心臓から離れた異なる部分の脈波を時差的に検出する複数の脈波測定手段は、例えば、図１・図２に示すように、その１つがコンピュータの入力装置に用いられるマウス１に設けられている。このマウス１の上面には、図２に示すように、突起部４が設けられ、突起部４の頂点付近には、光電型脈波センサー２Ａを形成する発光部５と受光部６が設けられている。また、発光部５と受光部６の周囲に、心電検出用の電極７が設けられている。また、他の脈波測定手段として、例えば、図１に示すように、光電型脈波センサー２Ｂが、被験者の耳に装着される。この光電型脈波センサー２Ｂも、発光部９と受光部１０を備えている。さらに、心電測定手段として、例えば、図１に示すように、手首電極３が、被験者のマウス１を持たない方の手首に装着される。
【００５８】
この場合の具体的な回路構成は、例えば、図４に示すように、マウス１側の光電型脈波センサー２Ａにおける発光部５が発光部駆動回路１１に接続され、受光部６が受光信号増幅回路１２に接続されている。一方、耳に装着した光電型脈波センサー２Ｂにおける発光部９が発光部駆動回路１３に接続され、受光部１０が受光信号増幅回路１４に接続されている。そして、受光部６，１０のそれぞれに接続されている受光信号増幅回路１２，１４は、共に信号発生時時間差検出回路１５に接続され、この信号発生時時間差検出回路１５は、Ａ／Ｄ変換器１６を介してパソコン（ＰＣ）に接続されている。尚、光電型脈波センサー２Ｂは、図１に示すように、耳たぶに装着するものであっても良いし、また、図４に示すように、耳掛け８により、耳に引っ掛けるようにして装着するものであっても良い。
【００５９】
そして、心臓からの距離が異なることによる脈波発生の時間差を求め、この時間差の変化から被験者の情動の変化を検出する場合には、マウス１に配置した光電脈波センサー２Ａの発光部５と受光部６、耳に装着した光電型脈波センサー２Ｂの発光部９と受光部１０を用いる。このとき、手首電極３と、マウス１に配置した心電検出用の電極７は使用しない。
【００６０】
また、心電信号が発生した時点、脈波が発生した時点それぞれの時間差を求め、この時間差の変化から情動の変化を検出する場合には、マウス１に配置した心電検出用の電極７、手首電極３、マウス１に配置した光電型脈波センサー２Ａの発光部５と受光部６を用いる。このとき、耳に装着した光電型脈波センサー２Ｂは使用しない。
【００６１】
この場合の具体的な回路構成は、例えば、図５に示すように、マウス１に配置した心電検出用の電極７と手首電極３のそれぞれは、心電信号増幅器１７に接続される。この心電信号増幅器１７は、信号発生時時間差検出回路１５に接続され、Ａ／Ｄ変換器１６を介してパソコン（ＰＣ）に接続されている。また、マウス１に配置した光電型脈波センサー２Ａを形成する受光部６は、受光信号増幅回路１２に接続され、受光信号増幅回路１２は、信号発生時時間差検出回路１５に接続されている。さらに、マウス１に配置した光電型脈波センサー２Ａを形成する発光部５は、発光部駆動回路１１に接続されている。
【００６２】
さらに、被験者における心音を測定する心音測定手段は、例えば、被験者の心臓の近傍に貼り付ける、マイクロフォンを備えたパッド等により形成するものである。また、脈波測定手段は、脈波の大きさである、例えば、振幅等の変化を同時に測定する、例えば、フィルタ回路等を使用した振幅測定手段を備え、脈波の大きさの変化から、例えば、嘘を言うこと等を原因として生じる情動の変化を検出するものである。この脈波の大きさである振幅の変化を測定するには、身体の所定の部位に固定的に配された脈波測定手段により測定する必要がある。従って、振幅測定手段は、例えば、クリップ等を介して耳たぶに固定的に配置されている脈波測定手段（２Ｂ）に配置されていることが好ましい。
【００６３】
次に、以上のように構成された本発明の使用・動作の一例を説明する。まず、図１に示すように、マウス１の上に被験者の右手を載せ、左耳に光電型脈波センサー２Ｂを装着する。
【００６４】
図３（Ｂ）は、耳に装着した光電型脈波センサー２Ｂから得られる脈波を示し、図３（Ｃ）は、手の平をのせているマウス１の光電型脈波センサー２Ａから得られる脈波を示す。ここに示されるように、各センサー２Ａ，２Ｂから得られる脈波信号には、心臓からの距離が異なることにより生じる時間差Ｔｂが発生する。この時間差Ｔｂは、個人毎に異なった値を示すが、情動の変化の検出に際しては、時間差Ｔｂの変化のみに着目するため、これは問題とならない。そして、被験者に情動の変化が生じると被験者の血圧が上昇し、血管内を伝播する脈波の伝播速度が増す。その結果、２点間の脈波発生時間差Ｔｂが減少する。すなわち、本発明は、この脈波信号の時間差Ｔｂの変化から、被験者の情動の変化を検出するのである。脈波信号の時間差Ｔｂは、脈拍の一拍毎に検出できるので、血圧の変化を要因として生じる脈波信号の時間差Ｔｂを、各脈拍毎に極めて高速に検出できる。
【００６５】
光電型脈波センサー２Ｂは、耳に直接装着しなくても良い。例えば、光電型脈波センサー２Ｂをイヤホーンに組み込み、このイヤホーンを耳に装着するものであっても良い。また、心電信号を用いない場合、脈波検出は光で行うので、電気回路と人体の間を電気的に絶縁させることが容易であり、心電信号を検出する場合に必要となるアイソレーションアンプ等が不要となる。
【００６６】
心電信号が発生した時点、脈波が発生した時点それぞれの時間差を求め、この時間差の変化から被験者の情動の変化を検出する場合には、図１に示すように、マウス１上に配置した心電検出用の電極７、光電型脈波センサー２Ａの発光部５と受光部６の上に右手を載せ、左手首に心電検出用の手首電極３を装着する。すると、心電検出用の手首電極３と、マウス１に配置した心電検出用の電極７とから、図３（Ａ）に示すような心電信号が得られる。また、光電型脈波センサー２Ｂの発光部９と受光部１０からは、図３（Ｃ）に示すような脈波信号が得られる。さらに、光電型脈波センサー２Ａの発光部５と受光部６からは、図３（Ｃ）に示すような脈波信号が得られる。そして、心電信号の極大部Ｒ（図３のＡ参照）の発生時点と、脈波の発生時点との時間差Ｔａ＋Ｔｂ（図３のＢ・Ｃ参照）を検出する。そして、被験者に情動の変化が生じると被験者の血圧が上昇し、血管内を伝播する脈波の伝播速度が増す。その結果、心電信号の極大部Ｒ（図３のＡ参照）の発生時点と、脈波の発生時点との時間差Ｔａ＋Ｔｂ（図３のＢ・Ｃ参照）が減少する。すなわち、本発明は、この脈波信号の時間差Ｔａ＋Ｔｂの変化から、被験者の情動の変化を検出するのである。
【産業上の利用可能性】
【００６７】
本発明は、脈波が発生する時間差の変化を要因として、被験者の情動の変化を正確に検出するものであり、種々のモニター装置や、嘘発見装置等として、広い分野で利用されるものである。
【図面の簡単な説明】
【００６８】
【図１】マウスに右手をのせ、耳に光電型脈波センサーを装着し、左手首に手首電極を装着した本発明の使用状態の一例を示す斜視図である。
【図２】光電型脈波センサー（発光部，受光部）と電極を備えているマウスの構成を示す斜視図である。
【図３】心電信号と脈波信号の一例を示すもので、（Ａ）は心電信号、（Ｂ）は耳から得られる脈波信号、（Ｃ）は手の平から得られる脈波信号を示す。
【図４】本発明の一例を示す回路構成図である。
【図５】本発明の一例を示す他の回路構成図である。
【符号の説明】
【００６９】
１…マウス
２Ａ…光電型脈波センサー          ２Ｂ…光電型脈波センサー
３…手首電極                      ４…突起部
５…発光部                        ６…受光部
７…電極                          ８…耳掛け
９…発光部                      １０…受光部
１１…発光部駆動回路              １２…受光信号増幅回路
１３…発光部駆動回路              １４…受光信号増幅回路
１５…信号発生時時間差検出回路    １６…Ａ／Ｄ変換器
１７…心電信号増幅器
【図１】
2005095615.tif 000003
【図２】
2005095615.tif 000004
【図３】
2005095615.tif 000005
【図４】
2005095615.tif 000006
【図５】
2005095615.tif 000007